(57)【要約】【課題】整流器内に遊技球が残留している状態においても、迅速に球発射部のメンテナンスを行うことができる遊技機における整流器を提供すること。【解決手段】パチンコ遊技機１における整流器４は、前枠２の取付位置２０１に固定されて、遊技球７の整流を行う供給状態４０１と、球発射部２１を開放するよう取付位置２０１から離れた開放状態４０２とを形成するよう回動可能である。整流器４は、球皿部３から遊技球７を導入する球導入口４１１と球発射部２１へ遊技球７を排出する球排出口４１２とを連通する整流通路４１、遊技球７を受け取る受取位置４０３と遊技球７を送り出す送出位置４０４との間を揺動する球送り部材４２、並びに開放状態４０２にある整流器４において、整流通路４１内の遊技球７が球導入口４１１又は球排出口４１２の少なくとも一方から流出することを防止する球流出防止手段５０を有している。【選択図】図１
2005328987.tif 000002
【特許請求の範囲】
【請求項１】
遊技球を貯留する球皿部から、遊技盤における遊技領域に向けて遊技球を発射させる球発射部へ、１球ずつ遊技球を供給するよう構成された遊技機における整流器であって、
該整流器は、上記遊技機における取付位置に固定されて遊技球の供給が可能な供給状態と、上記球発射部を開放するよう上記取付位置から離れた開放状態とを形成するよう構成されており、
かつ、上記整流器は、上記球皿部から遊技球を導入するための球導入口と、上記球発射部へ遊技球を排出するための球排出口とを連通する整流通路と、
上記球導入口から導入された遊技球を受け取るための受取位置と、上記球排出口へ遊技球を送り出すための送出位置との間を移動する球送り部材と、
上記開放状態において、上記整流通路内の遊技球が上記球導入口又は上記球排出口の少なくとも一方から流出することを防止する球流出防止手段とを有していることを特徴とする遊技機における整流器。
【請求項２】
請求項１において、上記球流出防止手段は、上記開放状態にある上記整流器における上記球導入口又は上記球排出口の少なくとも一方を遮るよう構成されていることを特徴とする遊技機における整流器。
【請求項３】
請求項１又は２において、上記球流出防止手段は、上記開放状態にある上記整流器における上記球送り部材の移動を阻止するよう構成されていることを特徴とする遊技機における整流器。
【請求項４】
請求項１〜３のいずれか一項において、上記球流出防止手段は、弾性変形可能なシャッター部材を有しており、
該シャッター部材は、上記開放状態にある上記整流器における上記球導入口を遮る遮蔽部と、上記開放状態にある上記整流器における上記球送り部材の移動を阻止する移動阻止部とを有していることを特徴とする遊技機における整流器。
【請求項５】
請求項４において、上記シャッター部材は、上記整流器を上記供給状態にしたときには、上記遮蔽部が上記遊技機に当接して当該シャッター部材を弾性変形させることにより、上記球導入口を開口させると共に上記移動阻止部を上記球送り部材から退避させるよう構成されており、
一方、上記整流器を上記開放状態にしたときには、当該シャッター部材の弾性変形が復帰して、上記遮蔽部が上記球導入口を遮ると共に上記移動阻止部が上記球送り部材の移動を阻止するよう構成されていることを特徴とする遊技機における整流器。
【発明の詳細な説明】
【技術分野】
【０００１】
本発明は、遊技機の遊技盤における遊技領域に向けて遊技球を発射させる球発射部へ、１球ずつ遊技球を送り出すよう構成された遊技機における整流器に関する。
【背景技術】
【０００２】
例えば、パチンコ遊技機においては、多数の遊技球を貯留する球皿部から、遊技領域に遊技球を発射させる球発射部へ、整流器を介して１球ずつ遊技球を供給している。そして、上記球発射部及び整流器が設けられた部位は、遊技球が頻繁に供給されて発射される部位であり、メンテナンスの頻度が多くなる部位である。
そのため、例えば、特許文献１に示される遊技球流出防止装置においては、遊技球送り装置（整流器）を着脱自在に装着した弾球遊技機が、遊技球送り装置を取り外したときに供給通路内の遊技球を係止する係止手段を備えている。そして、この係止手段により、遊技球送り装置を取り外したときに、供給通路内から不意に遊技球が流出することを防止している。
【０００３】
また、特許文献１においては、より具体的には、遊技機本体側に上下揺動自在に揺動アームを設け、この揺動アームに、供給通路の下手側端部に出退して供給通路内の遊技球に係脱する係止部を設けている。また、遊技球送り装置側には、上記係止部を上下に出退させる係合突起を設けている。
そして、遊技球送り装置を取り外すと、係合突起と揺動アームとの接触状態が解除され、揺動アームの係止部が供給通路内に突出して、供給通路内から遊技球が流出することを防止することができる。また、遊技球送り装置を装着すると、係合突起が揺動アームと接触し、揺動アームの係止部が供給通路内から退避して、供給通路内から遊技球送り装置へと遊技球が供給される状態が形成される。
【０００４】
しかしながら、上記従来のパチンコ遊技機においては、球発射部のメンテナンスを行うために整流器を取り外したときに、この整流器内の遊技球が流出することを防止する工夫はなされていない。すなわち、整流器（遊技球送り装置）内には、遊技球を通過させるための整流通路が形成されており、整流器を取り外したときには、上記整流通路内に残留した遊技球が流出してしまうおそれがある。そのため、整流器を取り外したときに、これから流出する遊技球を球箱等によって受ける必要が生じ、メンテナンスを迅速に行うことが困難であった。
【０００５】
【特許文献１】実開平７−２２７９０号公報
【発明の開示】
【発明が解決しようとする課題】
【０００６】
本発明は、かかる従来の問題点に鑑みてなされたもので、整流器内に遊技球が残留している状態においても、迅速に球発射部のメンテナンスを行うことができる遊技機における整流器を提供しようとするものである。
【課題を解決するための手段】
【０００７】
本発明は、遊技球を貯留する球皿部から、遊技盤における遊技領域に向けて遊技球を発射させる球発射部へ、１球ずつ遊技球を供給するよう構成された遊技機における整流器であって、
該整流器は、上記遊技機における取付位置に固定されて遊技球の供給が可能な供給状態と、上記球発射部を開放するよう上記取付位置から離れた開放状態とを形成するよう構成されており、
かつ、上記整流器は、上記球皿部から遊技球を導入するための球導入口と、上記球発射部へ遊技球を排出するための球排出口とを連通する整流通路と、
上記球導入口から導入された遊技球を受け取るための受取位置と、上記球排出口へ遊技球を送り出すための送出位置との間を移動する球送り部材と、
上記開放状態において、上記整流通路内の遊技球が上記球導入口又は上記球排出口の少なくとも一方から流出することを防止する球流出防止手段とを有していることを特徴とする遊技機における整流器にある（請求項１）。
【０００８】
本発明の整流器は、上記遊技機における取付位置に固定したときには上記供給状態を形成し、遊技機から取り外したとき又は上記取付位置から移動させたときには上記開放状態を形成するよう構成されている。また、整流器は、その開放状態において、上記整流通路内の遊技球が上記球導入口又は上記球排出口の少なくとも一方から流出することを防止する球流出防止手段を有している。
【０００９】
そして、上記整流器は、上記遊技機において遊技状態を形成する際には、上記取付位置に固定する。この状態において、整流器における球送り部材は、上記受取位置において上記球導入口から上記整流通路内に導入された遊技球を受け取り、次いで、上記送出位置へ移動して、整流通路内の遊技球を上記球排出口へ送り出すことができる。これにより、球排出口から球発射部へ遊技球が１球ずつ供給され、球発射部から遊技領域に向けて遊技球を発射させることができる。
【００１０】
ところで、上記球発射部は、異物混入や球詰まり等のトラブルが発生しやすい部位であり、上記整流器の整流通路内に遊技球が残留している状態においても、メンテナンスが必要になることがある。
そして、整流通路内に遊技球が残留している状態において、球発射部のメンテナンスを行うときには、整流器を上記開放状態にして上記球発射部を露出させる。
【００１１】
このとき、整流器においては、上記球流出防止手段により、整流通路内の遊技球が球導入口又は球排出口の少なくとも一方から流出してしまうことを防止することができる。これにより、整流器を開放状態にしたときでも、この整流器内から遊技球が不意に零れ落ちることを防止することができる。そのため、上記メンテナンスを行う際に、整流器から球箱等へ遊技球を一旦抜き出す必要がなくなり、迅速に球発射部のメンテナンスを行うことができる。
それ故、上記遊技機における整流器によれば、整流器内に遊技球が残留している状態においても、迅速に球発射部のメンテナンスを行うことができる。
【発明を実施するための最良の形態】
【００１２】
上述した本発明における好ましい実施の形態につき説明する。
本発明において、上記球流出防止手段の構成は、上記整流器の構造に応じて種々の構成をとることができる。
すなわち、例えば、整流器を遊技機に対して上下方向に回動可能に配設し、上記球導入口を整流器の側面に形成すると共に上記球排出口を整流器の裏面に形成した場合には、球流出防止手段は、上記球導入口から遊技球が流出することを防止するよう構成することができる。すなわち、この場合には、整流器を上記開放状態にしたときに、この整流器を、球排出口が上方を向く状態にすることにより、球排出口からの遊技球の流出は阻止される。そのため、球流出防止手段は、球導入口からの遊技球の流出を防止する構造とすることができる。
【００１３】
また、例えば、整流器を遊技機に対して左右方向に回動可能に配設し、上記球導入口を整流器の側面に形成すると共に上記球排出口を整流器の裏面に形成した場合には、球流出防止手段は、上記球導入口及び球排出口のいずれもから遊技球が流出することを防止するよう構成することができる。
また、例えば、整流器を遊技機に対して着脱（取付け・取外し）可能に配設した場合にも、球流出防止手段は、上記球導入口及び球排出口のいずれもから遊技球が流出することを防止するよう構成することができる。
【００１４】
また、上記球流出防止手段は、上記開放状態にある上記整流器における上記球導入口又は上記球排出口の少なくとも一方を遮るよう構成することが好ましい（請求項２）。
この場合には、整流器を開放状態にして、球発射部のメンテナンスを行う際には、球流出防止手段が球導入口又は球排出口の少なくとも一方を遮って、整流器内から遊技球が零れ落ちることを防止することができる。
【００１５】
また、上記球流出防止手段は、上記開放状態にある上記整流器における上記球送り部材の移動を阻止するよう構成することが好ましい（請求項３）。
この場合には、整流器を開放状態にして、球発射部のメンテナンスを行う際には、球流出防止手段が球送り部材の移動を阻止して、整流器内から遊技球が零れ落ちることを防止することができる。
【００１６】
また、上記球流出防止手段は、弾性変形可能なシャッター部材を有しており、該シャッター部材は、上記開放状態にある上記整流器における上記球導入口を遮る遮蔽部と、上記開放状態にある上記整流器における上記球送り部材の移動を阻止する移動阻止部とを有していることが好ましい（請求項４）。
この場合には、整流器を開放状態にして球発射部のメンテナンスを行う際には、シャッター部材により、球導入口を遮ることができると共に球送り部材の移動を阻止することができ、球流出防止手段の構造を簡単にすることができる。
【００１７】
また、上記シャッター部材は、上記整流器を上記供給状態にしたときには、上記遮蔽部が上記遊技機に当接して当該シャッター部材を弾性変形させることにより、上記球導入口を開口させると共に上記移動阻止部を上記球送り部材から退避させるよう構成されており、一方、上記整流器を上記開放状態にしたときには、当該シャッター部材の弾性変形が復帰して、上記遮蔽部が上記球導入口を遮ると共に上記移動阻止部が上記球送り部材の移動を阻止するよう構成することが好ましい（請求項５）。
この場合には、整流器を開放状態にするだけで、シャッター部材の弾性変形が復帰し、球導入口から遊技球が流出することを防止できると共に、球排出口から遊技球が流出することを防止できる。また、整流器を遊技機における取付位置に固定するだけで、シャッター部材を弾性変形させ、球導入口を開口させることができる。
【００１８】
また、上記整流器における整流通路は、上記球導入口と上記球送り部材との間に、複数の遊技球を配置させるための入口通路部を有していることができる。この場合には、シャッター部材における遮蔽部は、上記入口通路部内に残留した遊技球が球導入口から流出することを防止することができる。
【実施例】
【００１９】
以下に、本発明の遊技機における整流器にかかる実施例につき、図１〜図１４と共に説明する。
本例の遊技機は、図１、図７に示すごとく、パチンコ遊技機１であり、このパチンコ遊技機１における整流器４は、遊技球７を貯留する球皿部３から、遊技盤２２に形成した遊技領域２２１に向けて遊技球７を発射させる球発射部２１へ、１球ずつ遊技球７を供給するよう構成されている。
また、整流器４は、図１〜図３に示すごとく、パチンコ遊技機１における取付位置２０１に固定されて、遊技球７の供給が可能な供給状態４０１と、図４〜図６に示すごとく、上記球発射部２１を目視可能に開放（露出）するよう取付位置２０１から離れた開放状態４０２とを形成するよう構成されている。
【００２０】
また、整流器４は、以下の整流通路４１、球送り部材４２及び球流出防止手段５０を有している。上記整流通路４１は、図１、図７に示すごとく、上記球皿部３から遊技球７を導入するための球導入口４１１と、上記球発射部２１へ遊技球７を排出するための球排出口４１２とを連通するよう形成されている。また、上記球送り部材４２は、図９に示すごとく、球導入口４１１から導入された遊技球７を受け取るための受取位置４０３と、図１０に示すごとく、球排出口４１２へ遊技球７を送り出すための送出位置４０４との間を揺動（移動）するよう構成されている。
【００２１】
そして、図４〜図６に示すごとく、上記球流出防止手段５０は、上記開放状態４０２にある整流器４において、整流通路４１内の遊技球７が球導入口４１１又は球排出口４１２の少なくとも一方から流出することを防止するよう構成されている。
以下に、これを詳説する。
【００２２】
図７、図１３に示すごとく、本例のパチンコ遊技機１は、このパチンコ遊技機１における外枠１１と、この外枠１１の前面側に配設した前枠２（本体枠）と、この前枠２の前面側に開閉可能に配設したガラス扉２０とを有している。前枠２は、上記遊技領域２２１を形成する遊技盤２２、パチンコ遊技を制御する各種の制御装置及び各種の電気部品を配設してなるものである。また、ガラス扉２０は、プラスチック枠の内側にガラス板を配設してなるものである。
【００２３】
図２、図５に示すごとく、本例の球皿部３は、上記前枠２の前面側に開閉不能に固定されてなるものである。すなわち、球皿部３は、前枠２に対して分解しない限り開閉させることができない固定タイプのものであり、球皿部３を開閉可能にしたときに遊技球７が球貯留部３１から零れ落ちることを防止するための球止め部材等を不要にしたものである。
【００２４】
図７、図１１に示すごとく、上記球皿部３は、遊技球７を貯留するための球貯留部３１と、球貯留部３１の下方に連通する発射球供給通路３２と、発射球供給通路３２を通過する遊技球７を球皿部３から外部に抜き出すための発射球抜き通路３２２と、球貯留部３１に貯留された遊技球７を球皿部３の外部へ抜き出すための球抜き通路３３とを有している。また、前枠２の裏面側には、所定数の遊技球７をカウントして払い出すよう構成された払出装置（図示略）が配設されており、上記球貯留部３１は、払出装置から払い出される遊技球７を受けるよう構成されている。
【００２５】
図１、図１２に示すごとく、本例の球発射部２１は、前枠２に配設されており、整流器４の整流通路４１における球排出口４１２に連通される送出通路２１３と、この送出通路２１３に対向配設された発射球保持部材２１２と、この発射球保持部材２１２と送出通路２１３との間に配置された遊技球７を、上記遊技盤２２の遊技領域２２１に向けて発射させるための打球ハンマー２１１とを有している。
また、本例の打球ハンマー２１１は、上記発射球保持部材２１２に配置された遊技球７を略垂直方向に向けて発射させる垂直発射形式のものであり、上記発射球保持部材２１２は、略垂直方向に向けて配設されている。
【００２６】
また、図１、図１１に示すごとく、上記整流器４を固定するためのパチンコ遊技機１における取付位置２０１は、前枠２に対する整流器４の取付位置２０１である。そして、前枠２の取付位置に整流器４を取り付けたときには、整流器４における整流通路４１と、球皿部３における発射球供給通路３２とが連通されるよう構成されている。
また、図１に示すごとく、整流器４における整流通路４１は、上記球導入口４１１と上記球送り部材４２との間に、複数の遊技球７を配置させるための入口通路部４１３を有している。そして、この入口通路部４１３は、略水平方向に向けて屈曲形成されており、球導入口４１１から整流通路４１内に導入された遊技球７を、球発射部２１の方向（すなわちパチンコ遊技機１の後方側）に向けて屈曲させて流下させるよう構成されている。
【００２７】
図２、図５に示すごとく、本例の整流器４は、パチンコ遊技機１における前枠２に対して回動可能に取り付けられている。そして、本例の整流器４は、その下端部に、回動するときの回動支点を形成する回動支点部４５を有しており、この回動支点部４５によって上下方向に回動可能である。
また、図６に示すごとく、本例の球導入口４１１は、整流器４の側面における上部に形成されており、球排出口４１２は、整流器４の裏面に形成されている。
【００２８】
また、図８〜図１０に示すごとく、上記球送り部材４２は、その上端部に、上記球導入口４１１から整流通路４１内に導入された遊技球７を受け取る球受部４２２を有している。この球受部４２２は、球送り部材４２が受取位置４０３にある状態において整流通路４１内の遊技球７を受け取る受取面４２３と、球送り部材４２が送出位置４０４にある状態において整流通路４１内の遊技球７の流下を阻止する球待機面４２４とを有している。
【００２９】
また、球送り部材４２は、電磁石４３による磁気吸引力により、揺動支点部４２１を支点にして揺動可能に構成されている。すなわち、球送り部材４２の側面には、金属板４２５が配設されており、整流器４には、上記金属板４２５に対向する位置に電磁石４３が配設されている。そして、図９に示すごとく、電磁石４３に通電を行ったときには、金属板４２５が電磁石４３へと吸引されることによって、球送り部材４２は上記受取位置４０３へと揺動し、図１０に示すごとく、電磁石４３への通電を解除したときには、球送り部材４２はその自重によって上記送出位置４０４へと揺動するよう構成されている。
また、整流通路４１、球導入口４１１及び球排出口４１２は、整流器４のハウジング４０に形成されており、球送り部材４２及び電磁石４３は、ハウジング４０内に配設されている。
【００３０】
次に、上記供給状態４０１にある整流器４の整流動作につき説明する。
図８に示すごとく、上記制御装置が電磁石４３への通電を行っていないときには、球送り部材４２は、その自重により上記送出位置４０４に位置している。このとき、整流通路４１内における１つの遊技球７は、上記球受部４２２の球待機面４２４と、整流通路４１内に球受部４２２に対向形成された球流下阻止部４１４とに当接して、その流下が阻止されている。
次いで、図９に示すごとく、パチンコ遊技機１における制御装置が上記電磁石４３に通電を行ったときには、球送り部材４２は、電磁石４３の磁気吸引力により金属板４２５が引き寄せられて、上記受取位置４０３に揺動する。このとき、上記球受部４２２の受取面４２３に１つの遊技球７が載置される。
【００３１】
次いで、図１０に示すごとく、上記制御装置が電磁石４３への通電を解除したときには、球送り部材４２は、その自重により上記送出位置４０４に揺動する。このとき、上記球受部４２２の受取面４２３に載置された１つの遊技球７が、上記球排出口４１２に向けて送り出される。そして、遊技球７は、球排出口４１２から球発射部２１における送出通路２１３を通過して発射球保持部材２１２上に配置される。この状態で、制御装置が、打球ハンマー２１１を動作させたときには、発射球保持部材２１２上に配置された遊技球７が、遊技盤２２の遊技領域２２１に向けて発射される。
【００３２】
その後、図９に示すごとく、パチンコ遊技機１における制御装置が再び電磁石４３に通電を行ったときには、球送り部材４２が再び受取位置４０３に揺動し、上記１つの遊技球７に隣接して整流通路４１内に導入された次の遊技球７が上記球受部４２２の受取面４２３に載置される。
以降は、上記と同様にして、制御装置が電磁石４３の通電及びその解除を繰り返すことにより、球送り部材４２は、整流通路４１内の遊技球７を１球ずつ上記発射球保持部材２１２へ供給することができる。
【００３３】
図１〜図６に示すごとく、本例の球流出防止手段５０は、弾性変形可能なシャッター部材５であり、このシャッター部材５は、弾性変形可能な板部材（板バネ）からなる。
また、シャッター部材５は、整流器４に固定される固定部５１と、この固定部５１から延長形成され弾性変形が可能な弾性変形部５２と、上記開放状態４０２にある整流器４における球導入口４１１を遮る遮蔽部５３と、上記開放状態４０２にある整流器４における球送り部材４２の揺動を阻止する揺動阻止部（移動阻止部）５４とを有している。
【００３４】
また、図１、図３に示すごとく、遮蔽部５３は、弾性変形部５２に対して略直角に折り曲げて形成されており、遮蔽部５３の先端には、上記球皿部３に当接して押圧される被押圧部５３１が形成されている。
また、図６に示すごとく、遮蔽部５３は、上記球導入口４１１の開口面積の半分以上を遮る大きさを有しており、遮蔽部５３は、整流通路４１における球導入口４１１の近傍に存在する遊技球７の半径以上を覆うよう構成されている。
【００３５】
そして、図６に示すごとく、本例のシャッター部材５は、整流器４を上記開放状態４０２にしたときに、上記遮蔽部５３が上記球導入口４１１を遮ることにより、球導入口４１１からの遊技球７の流出を防止すると共に、上記揺動阻止部５４が上記球送り部材４２の揺動を阻止することにより、球排出口４１２からの遊技球７の流出を防止するよう構成されている。
また、球送り部材４２には、上記シャッター部材５における揺動阻止部５４と当接する当接突起４２６が形成されている。この当接突起４２６は、球送り部材４２の揺動に伴い、整流器４におけるハウジング４０に形成された開口穴４０５内を移動するよう構成されている。
【００３６】
また、図１、図４に示すごとく、上記球皿部３には、上記発射球供給通路３２における球出口３２１（整流器４における球導入口４１１に対向配置される開口端部）を遮ることができる本体側シャッター部材２５が配設されている。図１に示すごとく、この本体側シャッター部材２５は、整流器４を上記供給状態４０１にしたときには、整流器４におけるハウジング４０によって押圧されることにより弾性変形して、上記球出口３２１を開口するよう構成されている。一方、図４に示すごとく、本体側シャッター部材２５は、整流器４を上記開放状態４０２にしたときには、上記弾性変形が復帰することにより、球出口３２１を遮るよう構成されている。
【００３７】
より具体的には、図１〜図３に示すごとく、整流器４を供給状態４０１にしたときには、シャッター部材５の遮蔽部５３における被押圧部５３１が、球皿部３における当接部３４に当接して、上記弾性変形部５２が弾性変形する。これにより、遮蔽部５３が球導入口４１１を遮る位置から移動して、この球導入口４１１を開口させることができる。
また、整流器４を供給状態４０１にしたときには、整流器４におけるハウジング４０が本体側シャッター部材２５を弾性変形させて、球皿部３における発射球供給通路３２の球出口３２１が開口される。そして、球皿部３における発射球供給通路３２と、整流器４における整流通路４１とが連通され、球皿部３の球貯留部３１に貯留された遊技球７が、整流通路４１内に流下することができる状態が形成される。
【００３８】
また、図１〜図３、図１４に示すごとく、整流器４を供給状態４０１にしたときには、揺動阻止部５４が球送り部材４２の当接突起４２６から退避して、球送り部材４２が受取位置４０３と送出位置４０４との間で揺動可能な状態が形成される（図８〜図１０参照）。こうして、球送り部材４２を揺動させることにより、遊技球７を１球ずつ球発射部２１へ供給することができる状態が形成される。
【００３９】
一方、図４〜図６に示すごとく、整流器４を開放状態４０２にしたときには、シャッター部材５における弾性変形部５２の弾性変形が復帰し、遮蔽部５３が球導入口４１１を遮る位置に移動する。これにより、整流器４の整流通路４１内に遊技球７が残留している状態で整流器４を上記開放状態４０２にしたときでも、整流器４内の遊技球７が球導入口４１１から遊技球７が流出することを防止することができる。
また、整流器４を開放状態４０２にしたときには、揺動阻止部５４が球送り部材４２の当接突起４２６に当接し、球送り部材４２の送出位置４０４から受取位置４０３への揺動が阻止される。これにより、整流器４の整流通路４１内に遊技球７が残留している状態で整流器４を上記開放状態４０２にしたときでも、整流器４内の遊技球７が、振動等を受けて不意に球排出口４１２から流出してしまうことが防止される。
【００４０】
また、図４に示すごとく、整流器４を開放状態４０２にしたときには、本体側シャッター部材２５の弾性変形が復帰して、この本体側シャッター部材２５が、発射球供給通路３２の球出口３２１を遮ることができる。これにより、発射球供給通路３２内に遊技球７が残留している状態で整流器４を上記開放状態４０２にしたときでも、上記球出口３２１から遊技球７が流出することを防止することができる。
このように、本例においては、シャッター部材５及び本体側シャッター部材２５の弾性変形をそれぞれ利用することにより、極めて簡単な構造で、球導入口４１１、球排出口４１２及び球出口３２１からの遊技球７の流出を防止することができる。
【００４１】
また、図７、図１３に示すごとく、上記整流器４の前方には、この整流器４を覆う保護カバー３５が上記前枠２に対して開閉可能に配設されている。この保護カバー３５は、前枠２と上記ガラス扉２０との間に挟持される挟持部３５１を有している。また、保護カバー３５は、ガラス扉２０を前枠２の前面側に閉じて、ガラス扉２０と前枠２との間に上記挟持部３５１を挟み込むことにより、閉状態が保持される。そして、保護カバー３５及び整流器４は、ガラス扉２０を前枠２に対して開けない限り、開けることができなくなっている。そのため、保護カバー３５及び整流器４は、パチンコ遊技機１の遊技者が操作することはできず、ガラス扉２０における施錠を解除することにより、パチンコ遊技機１の管理者のみが操作することができる。
【００４２】
また、図１３に示すごとく、保護カバー３５の裏面側には、前枠２における取付位置２０１に取り付けられた整流器４が回動してしまうことを防止する回動防止部３５２が形成されている。この回動防止部３５２は、保護カバー３５の裏面から突出形成されており、保護カバー３５を前枠２に対して閉じたときに整流器４に当接するよう構成されている。
そして、整流器４は、これに振動等の外力が加わったときでも、上記回動防止部３５２により意図せず取付位置２０１から回動してしまうことが防止されている。
【００４３】
上記整流器４は、上記パチンコ遊技機１においてパチンコ遊技可能な遊技状態を形成する際には、上記前枠２の取付位置２０１に固定する。この状態において、整流器４における球送り部材４２は、上記のごとく、上記電磁石４３への通電及び通電の解除を繰り返すことにより、整流通路４１内の遊技球７を、球排出口４１２から球発射部２１へ１球ずつ供給することができる。これにより、パチンコ遊技者の遊技者は、前枠２の前面側に配設された操作ハンドル１２を操作したときには、制御装置は、球発射部２１から遊技盤２２の遊技領域２２１に向けて遊技球７を発射させることができる（図７参照）。
【００４４】
ところで、球発射部２１における送出通路２１３又は発射球保持部材２１２等に異物混入や球詰まり等のトラブルが発生したときには、パチンコ遊技機１の管理者は、上記ガラス扉２０の施錠を解除し、上記保護カバー３５を開けて、整流器４を露出させる（図１３参照）。
そして、管理者は、整流器４を回動させて、上記送出通路２１３及び発射球保持部材２１２等が目視できる状態を形成する（図１２参照）。
【００４５】
このとき、上記のごとく、整流器４の整流通路４１内及び球皿部３の発射球供給通路３２内に遊技球７が残留している状態においても、上記シャッター部材５及び本体側シャッター部材２５により、整流通路４１内の遊技球７及び発射球供給通路３２内の遊技球７が不意に零れ落ちてしまうことを防止することができる。そのため、上記メンテナンスを行う際に、整流器４から球箱等へ遊技球７を一旦抜き出す必要がなくなり、迅速に球発射部２１のメンテナンスを行うことができる。
それ故、本例のパチンコ遊技機１における整流器４によれば、整流器４内に遊技球７が残留している状態においても、迅速に球発射部２１のメンテナンスを行うことができる。
【００４６】
また、図１４に示すごとく、本例の球送り部材４２には、上記球発射部２１の発射球保持部材２１２上に遊技球７が配置されているときには、これが送出位置４０４にある状態において、上記球受部４２２の受取面４２３に載置された遊技球７の球噛み状態を形成して、次の遊技球７を発射球保持部材２１２へ供給しない工夫を行っている。
具体的には、同図に示すごとく、上記球送り部材４２の受取面４２３の先端部には、突起４２７が形成されており、球発射部２１の送出通路２１３には、突起４２７と共に遊技球７を挟持することができる挟持突起２１４が形成されている。
【００４７】
ところで、発射球保持部材２１２から発射された遊技球７が、遊技盤２２の遊技領域２２１に到達せずにファール球となって再び発射球保持部材２１２と送出通路２１３との間に戻った場合には、発射球保持部材２１２上に遊技球７が存在する状態で、球送り部材４２が送出位置４０４から受取位置４０３へ揺動しようとすると、送出通路２１３の挟持突起２１４と球送り部材４２の突起４２７との間に遊技球７が挟まれる。
【００４８】
これにより、球送り部材４２は、発射球保持部材２１２上に遊技球７が存在する状態においては、送出位置４０４から受取位置４０３へ揺動することができなくなる。そのため、発射球保持部材２１２上に複数個の遊技球７が存在することにより、球発射部２１の打球ハンマー２１１によって、遊技球７の発射ができなくなる状態を容易に回避することができる。
【００４９】
また、発射球保持部材２１２と送出通路２１３との間の遊技球７が、打球ハンマー２１１の再度の発射動作により遊技領域２２１に発射された場合、又はファール球通路（図示略）に回収された場合には、球送り部材４２は、その自重により送出位置４０４へ揺動し、再び正常な動作を繰り返すことが可能となる。
【図面の簡単な説明】
【００５０】
【図１】実施例における、取付位置にある整流器とその周辺をパチンコ遊技機の上方から見た状態で示す断面説明図。
【図２】実施例における、取付位置にある整流器とその周辺をパチンコ遊技機の前面側から見た状態で示す斜視説明図。
【図３】実施例における、取付位置にある整流器におけるシャッター部材を示す斜視説明図。
【図４】実施例における、取付位置から回動させた整流器とその周辺をパチンコ遊技機の上方から見た状態で示す断面説明図。
【図５】実施例における、取付位置から回動させた整流器とその周辺をパチンコ遊技機の前面側から見た状態で示す斜視説明図。
【図６】実施例における、取付位置から回動させた整流器を示す斜視説明図。
【図７】実施例における、球皿部の周辺をパチンコ遊技機の前面側から見た状態で示す前面図。
【図８】実施例における、球送り部材が送出位置にあり、球送り部材が遊技球の送出を阻止している状態の整流器をパチンコ遊技機の前面側から見た状態で示す断面説明図。
【図９】実施例における、球送り部材が受取位置にある状態の整流器をパチンコ遊技機の前面側から見た状態で示す断面説明図。
【図１０】実施例における、球送り部材が送出位置にあり、遊技球を球発射部へ送り出す状態の整流器をパチンコ遊技機の前面側から見た状態で示す断面説明図。
【図１１】実施例における、取付位置にある整流器とその周辺をパチンコ遊技機の前面側から見た状態で示す断面説明図。
【図１２】実施例における、球発射部とその周辺をパチンコ遊技機の前面側から見た状態で示す断面説明図。
【図１３】実施例における、保護カバーに覆われて回動させることができない状態の整流器とその周辺をパチンコ遊技機の側方から見た状態で示す断面説明図。
【図１４】実施例における、取付位置にある整流器とその周辺をパチンコ遊技機の側方から見た状態で示す断面説明図。
【符号の説明】
【００５１】
１  パチンコ遊技機
２  前枠
２０１  取付位置
２１  球発射部
３  球皿部
３１  球貯留部
３２  発射球供給通路
３２１  球出口
４  整流器
４０１  供給状態
４０２  開放状態
４１  整流通路
４１１  球導入口
４１２  球排出口
４２  球送り部材
４０３  受取位置
４０４  送出位置
４２６  当接突起
５０  球流出防止手段
５  シャッター部材
５３  遮蔽部
５４  揺動阻止部
７  遊技球
【図１】
2005328987.tif 000003
【図２】
2005328987.tif 000004
【図３】
2005328987.tif 000005
【図４】
2005328987.tif 000006
【図５】
2005328987.tif 000007
【図６】
2005328987.tif 000008
【図７】
2005328987.tif 000009
【図８】
2005328987.tif 000010
【図９】
2005328987.tif 000011
【図１０】
2005328987.tif 000012
【図１１】
2005328987.tif 000013
【図１２】
2005328987.tif 000014
【図１３】
2005328987.tif 000015
【図１４】
2005328987.tif 000016